(57)【要約】【課題】店舗ごとの配置場所に、柔軟に対応することができる写真自動販売機を提供する。【解決手段】写真自動販売機は、撮影ブース４から遠い方の外面であって、筐体１の背面に、当該写真自動販売機の商品名や製造メーカーや商品イメージ等を広告するポスターであるメインポスター７を備える。そのため、筐体１の反対面を壁面に接して設置でき、筐体１の背面に備えられるドアを開けて当該写真自動販売機のメンテナンスを行なう際に、筐体１の後ろにスペースを確保するために写真自動販売機を移動させる必要がない。さらに、写真自動販売機は、メインポスター７の巻上げ装置も備えるため、メインポスター７がドアの開閉の妨げにならず、効率的なメンテナンスを行なうことができる。【選択図】　　　　図４
2004062761.tif 000002
【特許請求の範囲】
【請求項１】
撮影ブース内の被写体を撮影する撮影部と、
当該写真自動販売機の広告を行なう広告部と、
前記撮影部を含み、前記撮影ブースを構成する筐体とを備える写真自動販売機であって、
前記広告部は、前記筐体の前記撮影ブースに面している面と反対側の面に備えられることを特徴とする、写真自動販売機。
【請求項２】
前記広告部の着脱手段をさらに備える、請求項１に記載の写真自動販売機。
【請求項３】
前記着脱手段は、前記広告部の巻取り手段である、請求項２に記載の写真自動販売機。
【請求項４】
撮影ブース内の被写体を撮影する撮影部と、
前記撮影した画像に対する編集入力を受付ける編集入力部と、
前記撮影部および前記編集入力部を含む、前記撮影ブースを構成する筐体とを備える写真自動販売機であって、
前記筐体は、前記編集入力部を前記筐体に取付ける取付部を複数備えることを特徴とする、写真自動販売機。
【請求項５】
前記筐体は、前記取付部を、前記撮影ブースに面している側面以外の複数の側面に備えることを特徴とする、請求項４に記載の写真自動販売機。
【請求項６】
前記取付部を備える前記筐体の側面であって、前記編集入力部が前記筐体に取付けられた取付部を備える筐体の側面に、ユーザを誘導する誘導手段をさらに備える、請求項５に記載の写真自動販売機。
【発明の詳細な説明】
【０００１】
【発明の属する技術分野】
この発明は写真自動販売機に関し、特に、設置場所に柔軟に対応することができる写真自動販売機に関する。
【０００２】
【従来の技術】
コイン等の対価を投入することで、自動的に使用者の写真を撮影しプリントする写真自動販売機や、さらに撮影された使用者の画像と予め記憶されている画像であって使用者から選択された画像とを組合せた写真をプリントする写真自動販売機などが広く知られている。
【０００３】
このような写真自動販売機は、撮影された画像に対して、タッチペンなどにより画像を入力し（このような入力は一般に「落書き」や「お絵描き」と呼ばれる。）、撮影された画像の編集を行なった後にプリント出力してユーザに提供する。このような撮影や落書き等の処理は遊びの要素を多分に含むため、写真自動販売機は遊戯を提供する店舗に設置されることが多い。
【０００４】
このような店舗では、複数台あるいは複数種類の写真自動販売機が設置されることが多い。そのため、写真自動販売機にメインポスターと呼ばれる当該写真自動販売機の商品名や製造メーカーや商品イメージ等を広告するポスターを備え、ユーザに対して当該写真自動販売機の機能や提供する商品の魅力を効果的にアピールすることがなされている。
【０００５】
ところで、カメラ等を含む写真撮影装置である筐体の背面には、メンテナンス用のドアが備えられ、メンテナンス時にはそのドアを開けて内部のメンテナンスを実行する。そのため、従来、上述のメインポスターは、写真自動販売機の筐体に反対に位置する外面に備えられる。そこで、従来、店舗では、図１５に示されるような配置で写真自動販売機が設置されている。すなわち、筐体１側を壁面に密着させ、メインポスター７を備える背面側をユーザが通る通路に面して設置することが多い。
【０００６】
【発明が解決しようとする課題】
しかしながら、図１５に示されるように写真自動販売機を配置した場合、メンテナンスを行なう場合には、写真自動販売機を移動させて筐体１の背後にドアを開けられるだけのスペースを確保しなければならないという問題があった。
【０００７】
移動は、コマや車等の移動手段を備えることで可能であるが、このような店舗においては限られたスペースに多数の写真自動販売機を備えるため、移動のためのスペースを確保することが非常に難しいという問題がある。
【０００８】
また、このような店舗においては、ユーザ（顧客）の嗜好等に応じて写真自動販売機等の遊戯機器の配置を決定したいという要望があるが、図１５に示されるような配置に限定されると、配置のバリエーションが限られてしまうという問題もある。
【０００９】
本発明はこのような問題に鑑みてなされたものであって、店舗ごとの配置場所に、柔軟に対応することができる写真自動販売機を提供することを目的とする。
【００１０】
【課題を解決するための手段】
上記目的を達成するために、本発明のある局面に従うと、写真自動販売機は、撮影ブース内の被写体を撮影する撮影部と、当該写真自動販売機の広告を行なう広告部と、撮影部を含み、撮影ブースを構成する筐体とを備える写真自動販売機であって、広告部は、筐体の撮影ブースに面している面と反対側の面に備えられることを特徴とする。
【００１１】
また、写真自動販売機は、広告部の着脱手段をさらに備えることが望ましい。
さらに、上述の着脱手段は、広告部の巻取り手段であることが望ましい。
【００１２】
本発明の他の局面に従うと、写真自動販売機は、撮影ブース内の被写体を撮影する撮影部と、撮影した画像に対する編集入力を受付ける編集入力部と、撮影部および編集入力部を含む、撮影ブースを構成する筐体とを備える写真自動販売機であって、筐体は、編集入力部を筐体に取付ける取付部を複数備えることを特徴とする。
【００１３】
また、上述の筐体は、取付部を、撮影ブースに面している側面以外の複数の側面に備えることが望ましい。
【００１４】
また、写真自動販売機は、取付部を備える筐体の側面であって、編集入力部が筐体に取付けられた取付部を備える筐体の側面に、ユーザを誘導する誘導手段をさらに備えることが望ましい。
【００１５】
【発明の実施の形態】
以下に、図面を参照しつつ、本発明の実施の形態について説明する。以下の説明では、同一の部品および構成要素には同一の符号を付してある。それらの名称および機能も同じである。したがってそれらについての詳細な説明は繰返さない。
【００１６】
図１は、本実施の形態における写真自動販売機の外観の具体例を示す図である。図１を参照して、本実施の形態における写真自動販売機は、パーソナルコンピュータ（以下、ＰＣと言う）１０１（図１３参照）、プリンタ１２、および制御部１０２（基盤）（図１３参照）などの各種機器類を納める筐体１と、筐体１と共に撮影ブース４を形成するパネル２と、フレーム材３とを含む。
【００１７】
このような写真自動販売機において、被写体であるユーザ１５は、筐体１、パネル２およびフレーム材３にて構成される撮影ブース４内に入り、筐体１に相対する向きで撮影を行なう。なお、以降の説明において、便宜上、筐体１の紙面に対して左側の面（ユーザ１５から遠い側の面）を背面とする。また、筐体１の紙面に対して右側の面（ユーザ１５が相対する面）を正面とする。また、本実施の形態においては、被写体がユーザ１５であるものとして説明を行なうが、被写体はユーザ１５に限定されず、その他の物体であっても構わない。また、被写体であるユーザ１５は、図１においては、１人であるものとして示されているが、複数であっても構わない。
【００１８】
上述のパネル２は木製であることが多く、左側面（図１の手前側）、右側面（図１の奥）、背面（図１の右側）、および天井面（図１の上側）等に大きく分割されている。さらに、背面のパネル２は大きいことから、上下または左右に２枚に分割されている場合がある。また、撮影ブース４の内部となるパネル２の裏面は、照明の反射による間接光を目的とする場合は白色、逆に光を吸収させたい時は黒色、クロマキー合成を行なう目的の時は青色等の色彩が施される。すなわち、パネル２の裏面の色は、当該写真自動販売機がどのような撮影を行なうかによって、設計開発時に適宜選ばれる。
【００１９】
プリンタ１２は、撮影された画像を紙やシールや金属やプラスティック等の印刷媒体に印刷するためのプリンタであって、昇華型プリンタもしくはサーモオートクローム方式（光定着型直接感熱記録方式）のプリンタなどが一般的である。
【００２０】
さらに、撮影ブース４内には背景カーテン５が配備され、撮影時の背景として用いられる。背景の色によって、被写体の写り方、特に色調が変わってくるため、様々な色、柄のカーテンが複数枚用意されている。また、背景カーテン５が備えられていなくても構わない。さらに、背景カーテン５は、巻上げ式、引出し方式等、ユーザ１５の操作によりセットされてもよいし、操作部２４（図５参照）等を操作することで自動でセットされてもよい。また、背景カーテン５は、様々な種類が配備されることで、撮影における遊びの要素ともなり得る。
【００２１】
また、ユーザ１５が撮影ブース４内に出入りできるように、当該写真自動販売機の側面は開けられているが、撮影が妨げられないよう、また外部光を遮断するためなどの理由で、その側面にサイドカーテン６を備える。なお、撮影ブース４への出入が一方の側面のみである場合には、その側面にのみサイドカーテン６が備えられていてもよい。また、両側面から出入できる場合には、両側面にサイドカーテン６が備えられていてもよい。ユーザ１５は、撮影を行なう際には、このサイドカーテン６を開けて撮影ブース４に入り、撮影時はサイドカーテン６を閉める。なお、サイドカーテン６の裏面（撮影ブース４側）の色等は、背景カーテン５やパネル２内面と同様の理由で適宜選ばれる。
【００２２】
さらに写真自動販売機の外側には、メインポスター７と、バックドア８と、プリント取出口９と、タブレットディスプレイ１３とが備えられる。
【００２３】
バックドア８は、筐体１の背面に備えられるドアであって、バックドア８を開けることで筐体１の内部のメンテナンスを行なうことができる。なお、通常は、錠が掛けられており、いたずら等が防止されている。
【００２４】
プリント取出口９もまた筐体１の背面に備えられ、箱型の形状を奏している。プリンタ１２でプリントされた写真が排出され、ここに落とされる。そして、ユーザ１５は、プリント取出口９よりプリントされた写真を取出す。なお、プリント取出口９付近には印刷中ＬＥＤ（Ｌｉｇｈｔ　Ｅｍｉｔｔｉｎｇ　Ｄｉｏｄｅ）１０および印刷エラーＬＥＤ１１とが備えられ、それらが点灯あるいは点滅することによって、ユーザ１５は、印刷中であるという状態、あるいは印刷中に用紙切れ、インク切れ、用紙詰まり、メカニカルエラーなどのエラーが発生しているという状態を知ることができる。
【００２５】
タブレットディスプレイ１３は、筐体１の側面に備えられるディスプレイであって、撮影後の画像を表示する。また、ユーザ１５より、その画像に対してタブレットペン１４を用いた編集入力（らくがき）を受付ける。なお、タブレットペン１４は、ペン形状の入力装置であって、タブレットディスプレイ１３にタッチすることで、背景、スタンプ、フレームなどの画像や文字の入力、または使用する項目（ボタン）の選択、操作の選択などの入力をすることができる。タブレットペン１４は、図１に示されるように１つのみ備えられてもよいし、複数のユーザ１５で編集入力が可能なように、複数備えられていてもよい。
【００２６】
メインポスター７は、上述の如く、当該写真自動販売機の商品名や製造メーカーや商品イメージ等を広告するためのポスターであって、当該写真自動販売機の最も目立つ位置に備えられる。
【００２７】
メインポスター７には、写真自動販売機の商品名が大きく書かれており、その商品をイメージする色および形やデザインや、その商品の特徴を表わす図および文字が表現され印刷されている。
【００２８】
なお、本実施の形態における写真自動販売機は、図１に示される如く、メインポスター７を筐体１の背面に備えることを特徴とする。
【００２９】
ところで、上述の如く、筐体１の背面にはバックドア８が備えられ、メンテナンス実行時に、当該バックドア８が開かれる。そのため、本実施の形態における写真自動販売機は、図２に示されるように、さらに、メインポスター７の巻上げ装置７１を備えることを特徴とする。
【００３０】
巻上げ装置７１は、図３に示される如く、布等の巻上げやすい素材で作られているメインポスター７を上方向に巻上げる。あるいは、下方向であってもよい。巻上げ操作は、当該写真自動販売機の設置者自身の操作によって機械的に制御されてもよいし、ボタンを押す等の操作でソフト的に制御されてもよい。また、巻上げ装置７１に限定されず、バックドア８の開閉時にメインポスター７の着脱が可能な仕組みであれば他の仕組みであってもよく、例えば、フック等の着脱装置を筐体１の背面の上部に備え、メインポスター７を掛ける仕組みであってもよい。また、面ファスナー等の着脱手段をメインポスター７と筐体１背面とに備えることで、バックドア８の開閉時に自由にメインポスター７が着脱可能な仕組みであってもよい。
【００３１】
本実施の形態における写真自動販売機が、このようにメインポスター７を筐体１の背面に備えることで、当該写真自動販売機を、図４に示されるように配置することができる。すなわち、筐体１の背面を壁面に付ける配置ではなく、筐体１の背面を壁面から遠い側、すなわち、ユーザ１５の通路側に向ける方向に配置することができる。このため、筐体１背面のバックドア８の開閉時（メンテナンス時）に、写真自動販売機を移動させる必要がなく、写真自動販売機のレイアウトの幅を大幅に広げることができる。
【００３２】
またさらに、本実施の形態における写真自動販売機が、メインポスター７の巻上げ装置７１を備えることで、バックドア８の開閉時がメインポスター７に妨げられることなく、メンテナンスの効率を高めることができる。
【００３３】
さらに、図５に、上述の筐体１を正面（撮影ブース４内方向）から見た具体例を示す。図５を参照して、筐体１の正面、すなわち被写体であるユーザ１５と相対する面には、カメラ２１およびモニタ２２を含み、レール２０に沿って上下するカメラユニット１９と、デモンストレーション（以下、「デモ」と略す）音声や、ＢＧＭ、操作方法などのアナウンスを出力するスピーカ２３と、デモ画面や撮影中の操作手順、ユーザ１５へのアナウンスなどを表示する操作ディスプレイ２５と、操作ディスプレイ２５に表示される内容を選択決定するためのボタンや項目選択の上下移動ボタンや決定ボタンやキャンセルボタンなどから構成される操作部２４と、対価である硬貨を投入するためのコイン投入口２６と、前面のメンテナンス等を行なうためのドアであって、錠２７によって施錠されているフロントドア２８とが備えられる。
【００３４】
なお、上述のカメラユニット１９は、図５においてはカメラ２１を横向きに備えているが、カメラユニット１９自体を回転することにより縦向きでの撮影もできるようになっている。さらにカメラユニット１９には、回転しやすいように、取っ手（図示せず）が取付けられてもよい。
【００３５】
カメラユニット１９に備えられるカメラ２１としては、デジタルカメラが用いられる。一般的なデジタルカメラで設定できる項目（たとえばシャッタスピード、絞り値、露出補正、ホワイトバランスなど）の変更や、撮影タイミングは、ＰＣ１０１（図１３参照）から指示される。
【００３６】
また、筐体１の側面であって、カメラユニット１９の左右には照明ボックス１８が備えられる。照明ボックス１８は、その内部に、常時点灯している蛍光灯等の照明装置３０や、撮影時に撮影と同期して点灯するフラッシュ３１（共に図１３参照）を備える。さらに、効果的な照明を行なうために、その内部に複数の蛍光灯等の照明装置３０およびフラッシュ３１が備えられることが望ましい。また、その内部には、光を拡散する拡散板または反射板（図示せず）が取付けられる。それによって、フラッシュ３１がそれらに照射して、当該写真自動販売機では間接光で撮影を行なうことができる。なぜなら、直接光よりも間接光の方が当たりの柔らかな光であるため、自然な光で撮影を行なうことができる。さらに、照明ボックス１８の前面には光を拡散または透過するアクリル板（図示せず）が設置されている。また、照明ボックス１８の正面側は図５ではフラットな面であるが、被写体であるユーザ１５に光が向くように傾斜した形状であることが望ましい。なお、照明ボックス１８の形状については、後に具体例を挙げて説明する。
【００３７】
さらに、筐体１の側面であって、照明ボックス１８の外面には、前述のタブレットディスプレイ１３とタブレットペン１４とが備えられる。
【００３８】
また、筐体１の上面には、筐体１内部の熱を逃がすためのファン１６と、外部装置への画像の配信、リモートメンテナンスなどの、外部装置との通信を行なうときにケーブルを差込むためのＬＡＮ（Ｌｏｃａｌ　Ａｒｅａ　Ｎｅｔｗｏｒｋ）ケーブル差込口１７とを備える。
【００３９】
照明ボックス１８の外側面である筐体１の外側面に相当するフレーム材３は、タブレットディスプレイ１３との接合部分を備え、タブレットディスプレイ１３とフレーム材３とは、図６に示すように接合される。図６に、タブレットディスプレイ１３とフレーム材３との接合方法の具体例を２つ示す。
【００４０】
まず、図６（ａ）に示す接合方法は、フレーム材３の内側（照明ボックス１８内）から、ディスプレイ固定部材１３１を用いてタブレットディスプレイ１３を固定する。ディスプレイ固定部材１３１は、その爪部が止め具１３２でフレーム材３に接合されることで、タブレットディスプレイ１３をフレーム材３に筐体１の外側に対して押しつける形態でタブレットディスプレイ１３を固定する。フレーム材３にはタブレットディスプレイ１３を外側から見ることができるように窓（接合部分）が備えられる。そして、当該箇所にタブレットディスプレイ１３を設置しない場合には、ドア１３３で当該窓をふさぎ、ロック部でロックする。
【００４１】
次に、図６（ｂ）に示す接合方法は、フレーム材３に備えられる窓にタブレットディスプレイ１３を埋込み、ディスプレイ固定部材１３１でフレーム材３に固定する。ディスプレイ固定部材１３１は、備えられる爪部でタブレットディスプレイ１３が筐体１の外側に落ちる（ずれる）ことを防ぎ、照明ボックス１８の内側より止め具１３２でフレーム材３に接合されることで、タブレットディスプレイ１３をフレーム材３に接合する。また、図６（ａ）に示される接合方法と同様に、当該箇所にタブレットディスプレイ１３を設置しない場合には、ドア１３３で当該窓をふさぎ、ロック部でロックする。
【００４２】
なお、言うまでもなく、タブレットディスプレイ１３とフレーム材３との接合方法は上述の２方法に限定されるものではなく、その他の方法であってもよい。例えば、止め具１３２を用いた接合でなく、面ファスナー等の接着手段を用いた接合方法であってもよい。また、ディスプレイ固定部材１３１が透明の部材で構成されることで、照明ボックス１８の内側からでなく、外側からタブレットディスプレイ１３をフレーム材３に固定する接合方法であってもよい。
【００４３】
本実施の形態の写真自動販売機が、予め筐体１であってその外側に相当するフレーム材３に、図６に具体例が示されたようなタブレットディスプレイ１３との接合部分（窓等）を備えることで、図７に示すような筐体１の任意の側の側面にタブレットディスプレイ１３を設置することができる。また、タブレットディスプレイ１３の設置箇所は、筐体１の１側面に限定されず、２以上の複数の側面に設置されてもよい。また、タブレットディスプレイ１３を設置しない場合には、ドア１３３で当該接合部分をふさぐことによって、通常の筐体１の側面と同様に窓のない側面とすることができる。このため、当該写真自動販売機を、図８に示される方向の配置を行なうこともできるし、図９に示される方向の配置を行なうこともできる。このため、写真自動販売機のレイアウトの幅を大幅に広げることができる。
【００４４】
さらに、図１０に、照明ボックス１８の形状を説明するために、当該写真自動販売機を上から見た図を示す。先述の如く、本実施の形態の写真自動販売機における照明ボックス１８は、被写体であるユーザ１５に光が向くように傾斜した形状であり、左右対称形状でないために、右照明ボックス１８ａと左照明ボックス１８ｂとから構成される。
【００４５】
ここでさらに、本実施の形態における左照明ボックス１８ｂの詳細について、図１１を用いて説明する。図１１の下方に、左照明ボックス１８ｂを、筐体１の背面方向から見た（図１０において矢視ｃ−ｃ）図を示す。また図１１の上方に、その上面図を示す。
【００４６】
図１１を参照して、上述の如く、左照明ボックス１８ｂには、複数の蛍光灯等の照明装置３０と、複数のフラッシュ３１とが含まれる。また、先に詳述したタブレットディスプレイ１３との接合部分も含む。本実施の形態においては、図１１に示される如く、それらが、照明ボックス１８内に、水平方向に対称に備えられることを特徴とする。すなわち、図１１を参照して、水平方向のセンターラインＣＬに対して対称に照明装置３０、フラッシュ３１およびタブレットディスプレイ１３との接合部分が配備されることを特徴とする。なお、センターラインＣＬは、図１１においては左照明ボックス１８ｂを筐体１の背面から見た面の水平方向のセンターラインとして示されているが、見る面はこの面のみではなく、左照明ボックス１８ｂの各側面（４面）における水平方向のセンターラインである。ここで、タブレットディスプレイ１３との接合方法が図６において示された接合方法である場合には、図１２に示すように、タブレットディスプレイ１３を設置しない箇所の接合部分（図１２においては下方の接合部分）が、ドア１３３でふさがれる。なお、さらに、左照明ボックス１８ｂの下面に、コマや車等の移動手段、あるいはそれらを接合するための接合手段が備えられる場合には、その移動手段あるいは接合手段もまた、各側面（４面）のセンターラインＣＬに対して対称に備えられることが望ましい。すなわち、左照明ボックス１８ｂの上面にも同様に備えられることが望ましい。また、タブレットディスプレイ１３を接合する止め具１３２用のキリ孔等を要する場合には、それらもまた同様にセンターラインＣＬに対して対称に備えられることが望ましい。なお、図１１および図１２においては、左照明ボックス１８ｂの形状について説明したが、言うまでもなく、右照明ボックス１８ａも同様である。
【００４７】
本実施の形態の写真自動販売機における照明ボックス１８が、各側面の水平方向のセンターラインＣＬに対して対称に照明装置３０、フラッシュ３１およびタブレットディスプレイ１３との接合部分を備えることで、一方の照明ボックス１８を天地逆転させることで、他方の照明ボックスとして用いることができる。すなわち、左照明ボックス１８ｂを天地逆転させることで、右照明ボックス１８ａとすることができる。このため、写真自動販売機を製造する過程において、左右の照明ボックス１８ａおよび１８ｂを作り分ける必要がなく、製造効率を高めることができる。また、製造コストを削減することもできる。さらに、このような写真自動販売機を設置する際にも、左右の照明ボックス１８ａおよび１８ｂを識別して設置する必要がなく、設置が容易になり、また、設置の効率を高めることができる。さらには店内レイアウトの変更にも対処しやすくなる。
【００４８】
なお、照明ボックス１８の形状が図１０に示す傾斜した形状でなく、図５に示すフラットな形状である場合には、照明装置３０、フラッシュ３１およびタブレットディスプレイ１３との接合部分を各側面の水平方向にセンターラインＣＬに対して対称に備える必要はない。その場合には、照明装置３０、フラッシュ３１およびタブレットディスプレイ１３との接合部分を、照明ボックス１８の上面（あるいは下面）の水平方向（筐体１の背面と平行な方向）のセンターラインに対して対称に備えていればよい。そうすることで、一方の照明ボックス１８を前面と後面とを裏返して（筐体１の背面側と撮影ブース２側の面とを入替えて）、他方の照明ボックス１８として用いることができる。
【００４９】
次に、図１３に本実施の形態における写真自動販売機の機能ブロック図を示し、写真自動販売機の機能について説明する。
【００５０】
図１３を参照して、写真自動販売機は、当該写真自動販売機を動作させるためのＰＣ１０１と、基盤から構成され動作中のＰＣ１０１からの指示を受付けて接続されている各種装置を制御する制御部１０２とを備える。
【００５１】
さらに、上述のＰＣ１０１は、ＰＣ１０１の制御を行なう演算装置であるＣＰＵ（Ｃｅｎｔｒａｌ　Ｐｒｏｃｅｓｓｉｎｇ　Ｕｎｉｔ）と、装置を動作させるためのプログラムおよびプログラムで必要なグラフィックデータ、音声データ、撮影された画像や撮影画像に対して入力した編集画像などの各種画像などを記憶する記憶装置と、プログラムの一時的な作業領域ともなるメモリと、カメラ２１、プリンタ１２、タブレットディスプレイ１３、操作ディスプレイ２５などの周辺機器を制御するためのソフトウェアであるドライバと、ＬＡＮケーブルを介して外部機器と接続された場合に通信を行なう通信部とを含む。なお、ＰＣ１０１は、電源スイッチ２９が押され、当該写真自動販売機に電源プラグより電源が投入されると、上記プログラムが起動されて動作する。
【００５２】
また、写真自動販売機は、電源を必要とするファン１６、モニタ２２、スピーカ２３、操作ディスプレイ２５、照明装置３０、およびフラッシュ３１などの電源系統を制御する電源制御部１０３を備え、外部からそれらの装置に対する電源の電圧を安定させるよう制御する。さらに、そのような電源の投入および切断は、電源スイッチ２９を押すことで行なわれる。しかし、電源切断によりＰＣ１０１で動作しているプログラムを強制的に終了させることは、動作を不安定にさせる原因となる。そのため、電源が落とされても、しばらくはＵＰＳ（Ｕｎｉｎｔｅｒｒｕｐｔｅｄ　Ｐｏｗｅｒ　Ｓｕｐｐｌｙ）１０４が電源をバックアップし、ＰＣ１０１に停電信号を送信する。その間に、ＰＣ１０１はプログラムの終了の手続きを行ない、プログラムを正常に終了させることができる。
【００５３】
上述の制御部１０２は、サービスパネル１０５から制御信号を受付ける。サービスパネル１０５は、投入されたコインの枚数をカウントするコインカウンタ、印刷されたプリントの枚数をカウントするプリントカウンタ、スピーカ２３から出力する音声のボリューム、メンテナンスモードを行なうためのテストボタン、コインを投入しなくても装置が利用できるようにするためのサービスボタン等を備えるパネルであって、当該写真自動販売機の設置者が各種設定やメンテナンスの操作を行なう際に用いる。また、上述の如く、本実施の形態における写真自動販売機は、タブレットディスプレイ１３を選択的に設置できるため、その設置箇所の入力も、上述のテストモードで行なうことができる。
【００５４】
また、制御部１０２は、操作部２４、サービスパネル１０５、コイン制御部１０７からの信号を受付けＰＣ１０１に通知したり、逆に、ＰＣ１０１からの制御信号（指示コマンドなど）によりサービスパネル１０５、フラッシュ制御部１０６、フラッシュ３１、コイン制御部１０８９、印刷中ＬＥＤ１０、印刷エラーＬＥＤ１１を制御したりする。
【００５５】
コイン制御部１０７では、コイン投入口２６に投入されたコインの正当性を検出し、制御部１０２にコインが投入された信号を送る。逆に、コイン投入を禁止するときは、コイン制御部１０７は制御部１０２からの信号によりコイン投入口をブロックすることができる。
【００５６】
サービスパネル１０５では、テストボタン、サービスボタンが押下された信号を制御部１０２に送る。逆に、制御部１０２からの信号により、コインカウンタ、プリントカウンタを動作させる（例えばカウンタを１インクリメントする）。また、ＰＣ１０１から出力される音声を、サービスパネル１０５上のボリュームにより制御部１０２を介してスピーカ２３への出力を制御する。
【００５７】
操作部２４では、操作部２４での入力信号を制御部１０２に送る。入力信号はＰＣ１０１に送信され、ＰＣ１０１では、操作内容に応じた処理が行なわれる。
【００５８】
さらに、プリンタ１２の状態がＰＣ１０１に通知され、ＰＣ１０１は、その状態に応じて制御部１０２に信号を送出する。その信号によって、印刷中ＬＥＤ１０または印刷エラーＬＥＤ１１が点灯または点滅する。
【００５９】
さらに、複数備わるフラッシュ３１のうち照射させるフラッシュの選択、光量調節、充電調節などの制御を行なうために、上述のＰＣ１０１からの制御信号が制御部１０２を介してフラッシュ制御部１０６に送られる。また、フラッシュ制御部１０６は、カメラのシャッタに同期して照明されるようにフラッシュ３１が制御される。
【００６０】
なお、言うまでもなく、写真自動販売機の形態は、図１〜図１３に示される具体例に限定されるものではない。すなわち、図１〜図１３に記載されない他の機能が備えられていてもよいし、図１〜図１３に記載されている機能が全て備えられていなくても構わない。
【００６１】
次に、図１４のフローチャートに基づいて、本実施の形態における写真自動販売機での処理について説明する。図１４のフローチャートに示される処理は、ＰＣ１０１のＣＰＵが、記憶装置に記憶されるプログラムをメモリに読出して実行することによって実現される。
【００６２】
まず、当該写真自動販売機に備わる電源スイッチ２９が投入されると、各種装置の電源が投入される。すると、ＰＣ１０１の記憶装置に格納された動作プログラムが起動する。ＰＣ１０１は、各種装置が正常に接続されているかチェックし、初期化が必要な装置に対しては初期化を行なう。その後、当該写真自動販売機の利用を促すタイトルデモを操作ディスプレイ２５に表示し、同時に音声をスピーカ２３から出力する（Ｓ１００）。
【００６３】
タイトルデモが表示されている状態で、コイン投入口２６において、当該写真自動販売機を利用するのためのコインの投入を受付ける（Ｓ１１０）。なお、上述のコインの受付けに替えて、タイトルデモ表示中にテストボタンを押下することによって、当該写真自動販売機のメンテナンスを行なうためのメンテナンスモードが起動する。
【００６４】
メンテナンスモードは、当該写真自動販売機の設置者が操作するためのモードであり、当該写真自動販売機の利用状況の確認（たとえばコイン投入数など）や、カメラ２１、プリンタ１２など周辺機器の調整ができる。
【００６５】
ここで当該写真自動販売機の設置者とは、当該写真自動販売機を設置し営業を行なっている店舗等の経営者、管理者、従業員であり、営業中に利用者に対応できる者である。
【００６６】
また、本発明では、タブレットディスプレイ１３を選択的に設置できることから、このメンテナンスモードで、設置した場所（たとえば筐体１の右側面、左側面、背面）を設定できるようになっている。このことで、ユーザ１５のアナウンスを、「らくがきは右でしてね！」「らくがきは左でしてね！」「らくがきは反対側でしてね！」など切替えることができる。
【００６７】
ステップＳ１１０で受付けたコインは、コイン制御部１０７において正当性や枚数等が検知される。そして、正常にコインを受付けるとプレイが開始される。
【００６８】
まず、当該写真自動販売機における処理（プレイ）は、撮影から始まる。始めに、カメラ２１が取得する画像を、モニタ２２にリアルタイムに表示する。ユーザ１５は、モニタ２２に表示される画像を見ながら、好みの表情やポーズをとることができる。なお、ここでは、カメラ２１が取得した画像をそのままモニタ２２に表示しても構わないし、左右に反転処理して表示しても構わない。左右に反転処理して表示した場合、ユーザ１５の姿を鏡に写す方向と同じ方向でモニタ２２に表示することができる。そのため、ユーザ１５は、モニタ２２を見ながら好みの表情やポーズをとることが容易になる。
【００６９】
次に、撮影方法に複数のモードがある場合は、その選択肢を操作ディスプレイ２５に提示し、操作部２４のボタン等で好みの撮影モードをユーザ１５から受付ける（Ｓ１２０）。そして、選択された撮影モードで撮影を開始する（Ｓ１３０）。
【００７０】
また、ここでは、撮影モードだけでなく、ユーザ１５は、操作ディスプレイ２５に表示される操作画面およびスピーカ２３から流れる音声に従って、背景カーテン５の選択したり、カメラユニット１９を好みの位置に移動させたり、カメラ２１の向きを回転調整したりできる。これらの指示は、操作ディスプレイ２５や、操作部２４を構成するボタン等で受付ける。さらに、カメラユニット１９にカメラ２１の向きやズーム等の指示を行なうボタン等が備えられる場合には、それによってカメラ２１の向きやズーム等の指示を受付ける。そして、受付けた撮影モードや背景カーテン５等で撮影を行なう。
【００７１】
撮影は、時間経過と共に「３．２．１」などのカウントダウンを操作ディスプレイ２５あるいはスピーカ２３に出力して自動で行なうことができる。また、カメラ２１の近傍に設けられた撮影ボタン（図示せず）を押下することで行なってもよい。
【００７２】
また、撮影モードによって撮影で使用するフラッシュ３１が異なる場合（例えば右からの照明だけなど）は、ここで、ＰＣ１０１からの指示により、フラッシュ制御部１０６が点灯させるフラッシュの切替えを行なう。
【００７３】
撮影は、ＰＣ１０１からカメラ２１に撮影信号が送信されることでシャッタが切られ、実行される。同時に、カメラ２１からはフラッシュ制御部１０６に同期信号が送信され、撮影と同期してフラッシュ３１が点灯する。ステップＳ１３０では、このような撮影を所定回数繰返し行なう。
【００７４】
撮影が終了すると、ユーザ１５をタブレットディスプレイ１３の前に誘導するアナウンス（例えば、「らくがきは左の画面でしてね！」）を操作ディスプレイ２５に表示する。さらに、同時に、スピーカ２３により音声でアナウンスすればより効果的である。その表示に従って、ユーザ１５は撮影ブース４を出て、タブレットディスプレイ１３の前に移動する。
【００７５】
同時に、撮影が終了すると、撮影した画像をタブレットディスプレイ１３に全て表示する。そして、その中からユーザ１５が気に入った画像をタブレットペン１４でタッチされることによって受付ける（Ｓ１４０）。
【００７６】
ユーザ１５からの選択を受付けると、選択された画像をタブレットディスプレイ１３に表示する。そして、さらに、撮影画像自体の明るさ調整（ハイキー調整）、回転等の画像処理を行なう画面が表示され、ユーザ１５の好みにより撮影した画像を調整または加工することができる。
【００７７】
次に、選択された撮影画像に対して、ユーザ１５からタブレットペン１４により編集入力を受付ける（Ｓ１５０）。
【００７８】
編集入力中、タブレットディスプレイ１３に、撮影された画像と入力する画像とを切替えるためのボタンや、画像を切替えて編集を行なうための「背景」「フレーム」「ペン」「スタンプ」「消しゴム」「やり直し」などのボタンを表示する。ユーザ１５は、これらのボタンをタブレットペン１４で押すことで使用するツールを選択する。さらに、色、柄等を選択した後、表示された画像上で編集入力を行なう。編集中には、編集入力された画像と撮影された画像との画像合成をリアルタイムに実行し、タブレットディスプレイ１３に表示する。
【００７９】
編集入力時間は、予め設定されている。そして、タブレットディスプレイ１３上に残り時間を表示し、カウントダウンを行なう。残り時間が０になると編集入力が終了する。または、画面に用意された「終了」ボタンを押すことで強制的に終了させることもできる。
【００８０】
編集入力が終了すると、合成された画像をタブレットディスプレイ１３に表示する。そして、ユーザ１５から、シール等の印刷媒体に印刷する画像の選択を受付ける（Ｓ１６０）。また、編集入力に失敗した画像などを印刷しないような選択を受付けることもできる。
【００８１】
そして、選択された画像の枚数に応じて、予め決められた複数の印刷レイアウトをタブレットディスプレイ１３に表示し、ユーザ１５の選択を受付ける（Ｓ１７０）。
【００８２】
選択後、プリンタ１２に印刷画像を送信し、ユーザ１５をプリンタ１２の前に誘導するアナウンス（たとえば「シールは左から出るよ！」）を表示する。
【００８３】
そして、プリンタ１２で印刷を実行し、プリント取出口９よりユーザ１５に提供する（Ｓ１８０）。
【００８４】
以上の処理が、１組のユーザ１５が本実施の形態の写真自動販売機で行なうプレイである。そして、上述の処理を終了すると、次にコインが投入されるまで、サイドタイトルデモを操作ディスプレイ２５およびスピーカ２３から出力する。
【００８５】
さらに、上述の写真自動販売機における制御方法を、プログラムとして提供することもできる。このようなプログラムは、コンピュータに付属するフレキシブルディスク、ＣＤ−ＲＯＭ（Ｃｏｍｐａｃｔ　Ｄｉｓｃ−Ｒｅａｄ　Ｏｎｌｙ　Ｍｅｍｏｒｙ）、ＲＯＭ（Ｒｅａｄ　Ｏｎｌｙ　Ｍｅｍｏｒｙ）、ＲＡＭ（Ｒａｎｄｏｍ　Ａｃｃｅｓｓ　Ｍｅｍｏｒｙ）およびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００８６】
提供されるプログラム製品は、ハードディスクなどのプログラム格納部にインストールされて実行される。なお、プログラム製品は、プログラム自体と、プログラムが記録された記録媒体とを含む。
【００８７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】本実施の形態における写真自動販売機の外観の具体例を示す図である。
【図２】メインポスター７の巻上げ装置７１の具体例を示す図である。
【図３】巻上げ装置７１がメインポスター７を巻上げた状態の具体例を示す図である。
【図４】本実施の形態の写真自動販売機の配置の具体例を示す図である。
【図５】筐体１を正面から見た具体例を示す図である。
【図６】タブレットディスプレイ１３とフレーム材３との接合方法の具体例を示す図である。
【図７】タブレットディスプレイ１３の設置の具体例を示す図である。
【図８】本実施の形態の写真自動販売機の配置の具体例を示す図である。
【図９】本実施の形態の写真自動販売機の配置の具体例を示す図である。
【図１０】本実施の形態の写真自動販売機の上面図である。
【図１１】左照明ボックス１８ｂの具体例を示す図である。
【図１２】左照明ボックス１８ｂの具体例を示す図である。
【図１３】本実施の形態における写真自動販売機の機能ブロック図である。
【図１４】本実施の形態における写真自動販売機での処理について示すフローチャートである。
【図１５】従来の写真自動販売機の配置を示す図である。
【符号の説明】
１　筐体、２　パネル、３　フレーム材、４　撮影ブース、５　背景カーテン、６　サイドカーテン、７　メインポスター、８　バックドア、９　プリント取出口、１０　印刷中ＬＥＤ、１１　印刷エラーＬＥＤ、１２　プリンタ、１３　タブレットディスプレイ、１４　タブレットペン、１５　ユーザ、１６　ファン、１７　ＬＮＡケーブル差込口、１８　照明ボックス、１８ａ　右照明ボックス、１８ｂ　左照明ボックス、１９　カメラユニット、２０　レール、２１　カメラ、２２　モニタ、２３　スピーカ、２４　操作部、２５　操作ディスプレイ、２６　コイン投入口、２７　錠、２８　フロントドア、２９　電源スイッチ、３０　照明装置、３１　フラッシュ、７１　巻上げ装置、１０１　ＰＣ、１０２　制御部、１０３　電源制御部、１０４　ＵＰＳ、１０５　サービスパネル、１０６　フラッシュ制御部、１０７　コイン制御部、１３１　ディスプレイ固定部材、１３２　止め具、１３３　ドア。
【図１】
2004062761.tif 000003
【図２】
2004062761.tif 000004
【図３】
2004062761.tif 000005
【図４】
2004062761.tif 000006
【図５】
2004062761.tif 000007
【図６】
2004062761.tif 000008
【図７】
2004062761.tif 000009
【図８】
2004062761.tif 000010
【図９】
2004062761.tif 000011
【図１０】
2004062761.tif 000012
【図１１】
2004062761.tif 000013
【図１２】
2004062761.tif 000014
【図１３】
2004062761.tif 000015
【図１４】
2004062761.tif 000016
【図１５】
2004062761.tif 000017